(57)【要約】【課題】本発明は、偏光型視角制御素子を提供する。【解決手段】偏光型視角制御素子は、第一偏光片、第二偏光片、第一O型板補償膜及び第二O型板補償膜を含む。第一偏光片は、第一透過軸を有する。第二偏光片は、第一透過軸に平行な第二透過軸を有する。第一O型板補償膜及び第二O型板補償膜は、第一偏光片と第二偏光片との間に位置し且つそれぞれ第一光軸及び第二光軸を有する。第一光軸の第一偏光片における正投影及び第二光軸の第二偏光片における正投影は、第一透過軸及び第二透過軸に平行又は垂直である。第二光軸及び第一光軸は、反対の傾斜方向を有する。【選択図】図１Ａ
2019079044.tif 000002
【特許請求の範囲】
【請求項１】
第一偏光片、第二偏光片、第一O型板補償膜、及び第二O型板補償膜を含む偏光型視角制御素子であって、
前記第一偏光片は、第一透過軸を有し、
前記第二偏光片は、前記第一偏光片の一方側に位置し、且つ第二透過軸を有し、
前記第一O型板補償膜は、前記第一偏光片と前記第二偏光片との間に位置し、且つ第一光軸を有し、
前記第二O型板補償膜は、前記第一O型板補償膜と前記第二偏光片との間に位置し、且つ第二光軸を有し、
前記第一透過軸は、前記第二透過軸に平行であり、前記第一光軸の前記第一偏光片における正投影は、前記第一透過軸及び前記第二透過軸に平行又は垂直であり、前記第二光軸及び前記第一光軸は、反対の傾斜方向を有し、前記第二光軸の前記第二偏光片における正投影は、前記第一透過軸及び前記第二透過軸に平行又は垂直である、偏光型視角制御素子。
【請求項２】
請求項1に記載の偏光型視角制御素子であって、
前記第一光軸と前記第一偏光片とが成す鋭角は、20度〜50度の範囲にあり、前記第二光軸と前記第二偏光片とが成す鋭角は、20度〜50度の範囲にあり、前記第一光軸と前記第一偏光片とが成す鋭角と、前記第二光軸と前記第二偏光片とが成す鋭角との差は、5度を超えない、偏光型視角制御素子。
【請求項３】
請求項1に記載の偏光型視角制御素子であって、
前記第一O型板補償膜の位相遅延量は、100nm〜400nmの範囲にあり、前記第二O型板補償膜の位相遅延量は、100nm〜400nmの範囲にあり、前記第一O型板補償膜の位相遅延量と、前記第二O型板補償膜の位相遅延量との差は、50nmを超えない、偏光型視角制御素子。
【請求項４】
請求項1に記載の偏光型視角制御素子であって、
前記第一O型板補償膜と前記第二O型板補償膜との間に位置する粘着層をさらに含む、偏光型視角制御素子。
【請求項５】
請求項1に記載の偏光型視角制御素子であって、
第三偏光片をさらに含み、
前記第二偏光片は、前記第三偏光片と前記第二O型板補償膜との間に位置する、偏光型視角制御素子。
【請求項６】
請求項1に記載の偏光型視角制御素子であって、
前記第一O型板補償膜と前記第二O型板補償膜との間、前記第一O型板補償膜と前記第一偏光片との間、又は前記第二O型板補償膜と前記第二偏光片との間に位置する補償膜をさらに含む、偏光型視角制御素子。
【請求項７】
請求項6項に記載の偏光型視角制御素子であって、
前記補償膜は、C型板補償膜又はO型板補償膜である、偏光型視角制御素子。
【請求項８】
表示モジュール及び偏光型視角制御素子を含む偏光型視角制御表示装置であって、
前記表示モジュールは、第一偏光片を含み、前記第一偏光片は、第一透過軸を有し、
前記偏光型視角制御素子は、前記表示モジュールが前記第一偏光片に近い一方側に配置され、前記偏光型視角制御素子は、第二偏光片、第一O型板補償膜、及び第二O型板補償膜を含み、
前記第二偏光片は、第二透過軸を有し、
前記第一O型板補償膜は、前記第一偏光片と前記第二偏光片との間に位置し、且つ第一光軸を有し、
前記第二O型板補償膜は、前記第一O型板補償膜と前記第二偏光片との間に位置し、且つ第二光軸を有し、
前記第一透過軸は、前記第二透過軸に平行であり、前記第一光軸の前記第一偏光片における正投影は、前記第一透過軸及び前記第二透過軸に平行又は垂直であり、前記第二光軸及び前記第一光軸は、反対の傾斜方向を有し、前記第二光軸の前記第二偏光片における正投影は、前記第一透過軸及び前記第二透過軸に平行又は垂直である、偏光型視角制御表示装置。
【請求項９】
光源モジュール及び偏光型視角制御素子を含む偏光型視角制御光源モジュールであって、
前記偏光型視角制御素子は、前記光源モジュールの出光側に配置され、且つ第一偏光片、第二偏光片、第一O型板補償膜、及び第二O型板補償膜を含み、
前記第一偏光片は、第一透過軸を有し、
前記第二偏光片は、前記第一偏光片の一方側に位置し、且つ第二透過軸を有し、
前記第一O型板補償膜は、前記第一偏光片と前記第二偏光片との間に位置し、且つ第一光軸を有し、
前記第二O型板補償膜は、前記第一O型板補償膜と前記第二偏光片との間に位置し、且つ第二光軸を有し、
前記第一透過軸は、前記第二透過軸に平行であり、前記第一光軸の前記第一偏光片における正投影は、前記第一透過軸及び前記第二透過軸に平行又は垂直であり、前記第二光軸及び前記第一光軸は、反対の傾斜方向を有し、前記第二光軸の前記第二偏光片における正投影は、前記第一透過軸及び前記第二透過軸に平行又は垂直である、偏光型視角制御光源モジュール。
【発明の詳細な説明】
【技術分野】
【０００１】
本発明は、光学素子、表示装置及び光源モジュールに関し、特に、偏光型視角（angle  of  view）制御素子、偏光型視角制御表示装置及び偏光型視角制御光源モジュールに関する。
【背景技術】
【０００２】
一般的に言えば、表示装置は、複数の使用者が一緒に見ることができるようにさせるために、通常、広視角の表示効果を有する。しかし、幾つかの状況又は場合に、例えば、公共の場でプライベートホームページの閲覧或いは機密情報又はパースワードの入力のときに、広視角の表示効果は、機密情報が他の人に盗み見られることによる機密情報の漏洩を引き起こしやすい。覗き見防止のニーズを達成するために、一般的なやり方は、表示装置の前方に光制御膜（Light  Control  Film，LCF）を設置することで、大角度の光線をフィルタリングして除去することである。しかし、光制御膜は、高価で且つ厚みが大きい以外に、表示装置全体の輝度を約30%低減することもできる。また、光制御膜の周期的な構造は、表示装置とモアレ（Moire  pattern）を生じさせやすいため、表示品質に悪影響を与える恐れがある。
【０００３】
なお、この「背景技術」の部分が、本発明の内容への理解を助けるためだけのものであるため、この「背景技術」の部分に開示されている内容は、当業者に知られていない技術を含む可能性がある。よって、この「背景技術」の部分に開示されている内容は、該内容、又は、本発明の１つ又は複数の実施例が解決しようとする課題が本発明の出願前に既に当業者に周知されていることを意味しない。
【発明の概要】
【発明が解決しようとする課題】
【０００４】
本発明の目的は、視角を制限し、且つモアレの形成及び輝度の大幅な低下を避けることができる偏光型視角制御素子を提供することにある。
【０００５】
本発明のもう１つの目的は、上述の偏光型視角制御素子を用いた偏光型視角制御表示装置及び偏光型視角制御光源モジュールを提供することにある。
【０００６】
本発明の他の目的及び利点は、本発明に開示されている技術的特徴から、さらに理解することができる。
【課題を解決するための手段】
【０００７】
上述の１つ又は一部又は全部の目的或いは他の目的を達成するために、本発明の一実施例は、偏光型視角制御素子を提供し、それは、第一偏光片、第二偏光片、第一O型板補償膜及び第二O型板補償膜を含む。第一偏光片は、第一透過軸を有する。第二偏光片は、第一偏光片の一方側に位置し、且つ第二透過軸を有する。第一O型板補償膜は、第一偏光片と第二偏光片との間に位置し、且つ第一光軸を有する。第二O型板補償膜は、第一O型板補償膜と第二偏光片との間に位置し、且つ第二光軸を有する。第一透過軸は、第二透過軸に平行である。第一光軸の第一偏光片における正投影は、第一透過軸及び第二透過軸に平行又は垂直である。第二光軸及び第一光軸は、反対の傾斜方向を有する。第二光軸の第二偏光片における正投影は、第一透過軸及び第二透過軸に平行又は垂直である。
【０００８】
上述の１つ又は一部又は全部の目的或いは他の目的を達成するために、本発明の一実施例は、偏光型視角制御表示装置を提供し、それは、表示モジュール及び偏光型視角制御素子を含む。表示モジュールは、第一偏光片を含む。第一偏光片は、第一透過軸を有する。偏光型視角制御素子は、表示モジュールが第一偏光片に近い一方側に配置される。偏光型視角制御素子は、第二偏光片、第一O型板補償膜及び第二O型板補償膜を含む。第二偏光片は、第二透過軸を有する。第一O型板補償膜は、第一偏光片と第二偏光片との間に位置し、且つ第一光軸を有する。第二O型板補償膜は、第一O型板補償膜と第二偏光片との間に位置し、且つ第二光軸を有する。第一透過軸は、第二透過軸に平行である。第一光軸の第一偏光片における正投影は、第一透過軸及び第二透過軸に平行又は垂直である。第二光軸及び第一光軸は、反対の傾斜方向を有する。第二光軸の第二偏光片における正投影は、第一透過軸及び第二透過軸に平行又は垂直である。
【０００９】
上述の１つ又は一部又は全部の目的或いは他の目的を達成するために、本発明の一実施例は、偏光型視角制御光源モジュールを提供し、それは、光源モジュール及び偏光型視角制御素子を含む。偏光型視角制御素子は、光源モジュールの出光側に配置され、且つ第一偏光片、第二偏光片、第一O型板補償膜及び第二O型板補償膜を含む。第一偏光片は、第一透過軸を有する。第二偏光片は、第一偏光片の一方側に位置し、且つ第二透過軸を有する。第一O型板補償膜は、第一偏光片と第二偏光片との間に位置し、且つ第一光軸を有する。第二O型板補償膜は、第一O型板補償膜と第二偏光片との間に位置し、且つ第二光軸を有する。第一透過軸は、第二透過軸に平行である。第一光軸の第一偏光片における正投影は、第一透過軸及び第二透過軸に平行又は垂直である。第二光軸及び第一光軸は、反対の傾斜方向を有する。第二光軸の第二偏光片における正投影は、第一透過軸及び第二透過軸に平行又は垂直である。
【００１０】
上述により、本発明の実施例は、少なくとも次のような利点や効果、機能のうちの１つを有する。即ち、本発明の実施例における偏光型視角制御素子、偏光型視角制御表示装置及び偏光型視角制御光源モジュールでは、２つの偏光片と２つのO型板補償膜との組み合わせによって所要の位相遅延量を提供し、これにより、制御しようとする方位角上で視角を制限する効果を達成することができる。偏光型視角制御素子が周期的な構造を用いて視角を制御するものでないので、モアレの生成を避けることができる。市販の製品、例えば、光制御膜、偏光型視角制御素子などに比べ、より高い正視角輝度、より安い価格及びより薄い厚みを有する。単一方向（例えば、縦方向又は横方向）の視角を制限することにより、偏光型視角制御素子は、全覗き見防止表示器又は車用表示器に適用することができる。
【００１１】
本発明の上述の特徴及び利点をより明らかにするために、以下、実施例を挙げて添付した図面を参照することにより、詳細に説明する。
【図面の簡単な説明】
【００１２】
【図１Ａ】本発明の第一実施例における偏光型視角制御素子の断面図である。
【図１Ｂ】図1A中の１つのO型板補償膜の局所拡大断面図である。
【図１Ｃ】図1A中のもう１つのO型板補償膜の局所拡大断面図である。
【図１Ｄ】第一実施例における偏光型視角制御素子の異なる鋭角下での方位角が0度〜180度の方向上での透過率と天頂角（zenith  angle）との相対関係図である。
【図１Ｅ】第一実施例における偏光型視角制御素子の異なる鋭角下での方位角が90度〜270度の方向上での透過率と天頂角との相対関係図である。
【図１Ｆ】第一実施例における偏光型視角制御素子の異なる位相遅延量下での方位角が0度〜180度の方向上での透過率と天頂角との相対関係図である。
【図１Ｇ】第一実施例における偏光型視角制御素子の異なる位相遅延量下での方位角が90度〜270度の方向上での透過率と天頂角との相対関係図である。
【図２】本発明の第二実施例における偏光型視角制御素子の断面図である。
【図３】本発明の第三実施例における偏光型視角制御素子の断面図である。
【図４】本発明の第四実施例における偏光型視角制御素子の断面図である。
【図５】本発明の第五実施例における偏光型視角制御素子の断面図である。
【図６】本発明の第一実施例における偏光型視角制御表示装置の断面図である。
【図７】本発明の第二実施例における偏光型視角制御表示装置の断面図である。
【図８】本発明の一実施例における偏光型視角制御光源モジュールの断面図である。
【発明を実施するための形態】
【００１３】
本発明の上述した及び他の技術的内容、特徴、機能及び効果は、添付した図面に基づく次のような好ましい実施例における詳細な説明により明確になる。なお、以下の実施例に言及びされている方向についての用語、例えば、上、下、左、右、前又は後などは、添付した図面の方向に過ぎない。よって、使用されている方向の用語は、本発明を説明するためだけのものであり、本発明を限定するためのものではない。
【００１４】
図1Aは、本発明の第一実施例における偏光型視角制御素子の断面図である。図1に示すように、本発明の第一実施例における偏光型視角制御素子100は、第一偏光片P1、第二偏光片P2、第一O型板補償膜O1及び第二O型板補償膜O2を含む。
【００１５】
第一偏光片P1は、第一透過軸T1を有する。第二偏光片P2は、第一偏光片P1の一方側に位置し、且つ第二透過軸T2を有する。第一O型板補償膜O1は、第一偏光片P1と第二偏光片P2との間に位置し、且つ第一光軸OA1を有する。第二O型板補償膜O2は、第一O型板補償膜O1と第二偏光片P2との間に位置し、且つ第二光軸OA2を有する。第一透過軸T1は、第二透過軸T2に平行である。第一光軸OA1の第一偏光片P1における正投影OP1は、第一透過軸T1及び第二透過軸T2に平行又は垂直である。第二光軸OA2及び第一光軸OA1は、反対の傾斜方向を有し、また、第二光軸OA2の第二偏光片P2における正投影OP2は、第一透過軸T1及び第二透過軸T2に平行又は垂直である。
【００１６】
例を挙げると、点線枠X1で示すように、第一透過軸T1及び第二透過軸T2は、それぞれ、第一偏光片P1に平行な第一方向D1上で延伸することができる。また、第一光軸OA1の第一偏光片P1における正投影OP1及び第二光軸OA2の第二偏光片P2における正投影OP2は、第一透過軸T1及び第二透過軸T2に平行である。また、第一光軸OA1と第一偏光片P1とが成す鋭角（即ち、第一光軸OA1と正投影OP1とが形成する鋭角θ1）は、第二光軸OA2と第二偏光片P2とが成す鋭角（即ち、第二光軸OA2と正投影OP2とが形成する鋭角θ2）と同じであり又は近似しても良い。ここで、鋭角θ1が鋭角θ2に近似することとは、鋭角θ1と鋭角θ2との差が5度を超えないことを指す。
【００１７】
本実施例では、偏光型視角制御素子100は、第二方向D2上の視角を制限することができ、そのうち、第二方向D2は、第一方向D1及び偏光型視角制御素子100の厚み方向（例えば、第三方向D3）に垂直である。さらに言えば、偏光型視角制御素子100の覗き見防止方向は、第一偏光片P1（又は、第二偏光片P2）に平行であり、且つ第一光軸OA1の正投影OP1（又は、第二光軸OA2正投影OP2）に垂直である。点線枠X1の構成下で、第一光軸OA1の正投影OP1及び第二光軸OA2の正投影OP2が第一方向D1に平行であるので、偏光型視角制御素子100は、第二方向D2上の視角を制限することができる。もう１つの実施例では、第一光軸OA1の正投影OP1及び第二光軸OA2の正投影OP2は、第二方向D2に平行であるようになっても良い。このようにして、偏光型視角制御素子100は、第一方向D1上の視角を制限することができる。
【００１８】
また、点線枠X2に示すように、第一透過軸T1及び第二透過軸T2は、それぞれ、第二方向D2に沿って延伸することができる。また、第一光軸OA1の第一偏光片P1における正投影OP1及び第二光軸OA2の第二偏光片P2における正投影OP2は、第一透過軸T1及び第二透過軸T2に垂直である。また、鋭角θ1は、鋭角θ2と同じであり又は近似しても良い。点線枠X2の構成下で、第一光軸OA1の正投影OP1及び第二光軸OA2の正投影OP2が第一方向D1に平行であるため、偏光型視角制御素子100は、第二方向D2上の視角を制限することができる。
【００１９】
図1B及び図1Cは、それぞれ、図1A中の２つのO型板補償膜の２種類の局所拡大断面図である。図1B及び図1Cに示すように、第一O型板補償膜O1及び第二O型板補償膜O2は、それぞれ、複数の液晶分子LCを含む。これらの液晶分子LCは、それぞれ、光軸OAを有し、且つこれらの液晶分子LCの光軸OAは、それぞれ、第一O型板補償膜O1及び第二O型板補償膜O2の境界Iと角度βを成す。第一O型板補償膜O1及び第二O型板補償膜O2では、角度βは、液晶分子LCと境界Iとの距離が増加するにつれて増加することができる（図1B参照）。或いは、角度βは、液晶分子LCと境界Iとの距離が増加するにつれて減少することができる（図1C参照）。第一O型板補償膜O1では、これらの液晶分子LCの光軸OAが境界Iと成す角度βの平均値は、鋭角θ1である（図1A参照）。同様に、第二O型板補償膜O2では、これらの液晶分子LCの光軸OAが境界Iと成す角度βの平均値は、鋭角θ2である（図1A参照）。
【００２０】
図1Dは、第一実施例による偏光型視角制御素子の異なる鋭角下での方位角が0度〜180度の方向上での透過率と天頂角との相対関係図である。図1Eは、第一実施例における偏光型視角制御素子の異なる鋭角下での方位角が90度〜270度の方向上での透過率と天頂角との相対関係図である。さらに言えば、図1D及び図1Eは、図1Aの点線枠X1と図1Cの液晶配列方式との組み合わせによる構成下で得られたシミュレーション結果であり、そのうち、図1A中の第一方向D1及びその逆の方向は、方位角0度〜180度に対応し、図1A中の第二方向D2及びその逆の方向は、方位角90度〜270度に対応する。また、図1A中の鋭角θ1及び鋭角θ2は、図1D及び図1Eにおいて、すべて、鋭角θで表され、そのうち、θ＝20°は、図1A中の鋭角θ1及び鋭角θ2がともに20°であることを表す。その他の角度は、これに基づいて類推することができるため、ここでは、詳細な説明を省略する。
【００２１】
図1D及び図1Eから分かるように、第一偏光片の第一透過軸及び第二偏光片の第二透過軸がそれぞれ第一方向上で延伸する構成下で、鋭角θが20度〜50度の範囲にある時に、偏光型視角制御素子の方位角が0度〜180度の方向（即ち、第一方向D1及びその逆の方向）上での透過率は、天頂角が−55度〜55度の範囲に殆ど変わらず、偏光型視角制御素子100の方位角が90度〜270度の方向（即ち、第二方向D2及びその逆の方向）上での透過率は、天頂角の絶対値の増加に伴って徐々に減少する。言い換えると、偏光型視角制御素子100は、方位角が90度〜270度の方向（即ち、第二方向D2及びその逆の方向）上で視角を制限する効果を有する。
【００２２】
また、図1Eによれば、偏光型視角制御素子の視角は、鋭角θの増加に伴って狭くなる。また、鋭角θの増加に伴って、偏光型視角制御素子は、大角度の部分において次第に漏光（light  leakage）する現象が生じ、鋭角θの減少に伴って、偏光型視角制御素子の視角は、徐々に広くなる。よって、鋭角θを20度〜50度の範囲にあるようにさせることで、偏光型視角制御素子は、狭視角を有し、且つ大角度の漏光現象が生じない。具体的には、図1Aの実施例では、第一光軸OA1と第一偏光片P1とが成す鋭角（即ち、第一光軸OA1と正投影OP1とが成す鋭角θ1）は、20度〜50度の範囲にあり、且つ第二光軸OA2と第二偏光片P2とが成す鋭角（即ち、第二光軸OA2と正投影OP2とが成す鋭角θ2）は、20度〜50度の範囲にあり、そのうち、鋭角θ1と鋭角θ2との差異は、5度を超えない。
【００２３】
図1Fは、第一実施例による偏光型視角制御素子の異なる位相遅延量下での方位角が0度〜180度の方向上での透過率と天頂角との相対関係図である。図1Gは、第一実施例における偏光型視角制御素子の異なる位相遅延量下での方位角が90度〜270度の方向上での透過率と天頂角との相対関係図である。さらに言えば、図1F及び図1Gは、図1Aの点線枠X1と図1Cの液晶配列方式との組み合わせによる構成下で得られたシミュレーション結果である。図1F及び図1Gでは、100nmは、第一O型板補償膜の位相遅延量及び第二O型板補償膜の位相遅延量がともに100nmであることを表す。その他の位相遅延量は、これに基づいて類推することができるため、ここでは、詳しい説明を省略する。
【００２４】
図1F及び図1Gから分かるように、第一偏光片の第一透過軸及び第二偏光片の第二透過軸がそれぞれ第一方向上で延伸する構成下で、第一O型板補償膜の位相遅延量及び第二O型板補償膜の位相遅延量がそれぞれ100nm〜400nmの範囲にある時に、偏光型視角制御素子の方位角が0度〜180度の方向（即ち、第一方向D1及びその逆の方向）上での透過率は、天頂角が−55度〜55度の範囲に殆ど変らず、偏光型視角制御素子100の方位角が90度〜270度の方向（即ち、第二方向D2及びその逆の方向）上での透過率は、天頂角の絶対値の増加に伴って次第に減少する。言い換えると、偏光型視角制御素子100は、方位角が90度〜270度の方向（即ち、第二方向D2及びその逆の方向）上で視角を制限する効果を有する。
【００２５】
また、図1Gによれば、偏光型視角制御素子の視角は、O型板補償膜の位相遅延量の増加に伴って狭くなる。また、O型板補償膜の位相遅延量の増加に伴って、偏光型視角制御素子は、大角度の部分で次第に漏光する現象が生じ、また、O型板補償膜の位相遅延量の減少に伴って、偏光型視角制御素子の視角は、徐々に広くなる。よって、位相遅延量が100nm〜400nmの範囲にあるようにさせることで、偏光型視角制御素子は、狭視角を有し、且つ大角度の漏光現象が生じない。具体的に言えば、図1Aの実施例では、第一O型板補償膜O1の位相遅延量は、100nm〜400nmの範囲にあり、第二O型板補償膜O2の位相遅延量は、100nm〜400nmの範囲にあり、そのうち、第一O型板補償膜O1の位相遅延量と第二O型板補償膜O2の位相遅延量の差は、50nmを超えない。
【００２６】
また、図1Aの構成下で、第一偏光片P1が使用者に近い時に、第一偏光片P1は、例えば、吸収型偏光片であり、第二偏光片P2は、吸収型偏光片又は反射型偏光片であっても良い。吸収型偏光片の偏光度（特定の偏光方向の光束をフィルタリングする能力）が反射型偏光片の偏光度よりも高いので、第二偏光片P2が吸収型偏光片を採用する時に、偏光型視角制御素子100は、より良い覗き見防止効果を有する。一方で、第二偏光片P2が反射型偏光片を採用する時に、偏光型視角制御素子100は、より良い光利用率を有する。
【００２７】
図2〜図5は、それぞれ、本発明の第二実施例〜第五実施例による偏光型視角制御素子の断面図である。図2〜図5の偏光型視角制御素子は、図1A中の偏光型視角制御素子100に類似しており、そのうち、同じ素子は、同じ符号で表され、重複説明は、省略される。
【００２８】
図2に示すように、偏光型視角制御素子200と図1A中の偏光型視角制御素子との主な相違点は、偏光型視角制御素子200は、さらに、粘着層ADを含むことにある。粘着層ADは、第一O型板補償膜O1と第二O型板補償膜O2との間に位置し、両者を接合するために用いられる。以下の実施例では、すべて、この改良が適用され、その詳しい説明は、省略される。
【００２９】
図3に示すように、偏光型視角制御素子300と図1A中の偏光型視角制御素子との主な相違点は、偏光型視角制御素子300は、さらに、第三偏光片P3を含むことにあり、そのうち、第二偏光片P2は、第三偏光片P3と第二O型板補償膜O2との間に位置する。第三偏光片P3は、第三透過軸T3を有し、且つ第三透過軸T3は、第一透過軸T1及び第二透過軸T2に平行である。第三偏光片P3は、吸収型偏光片又は反射型偏光片であっても良く、好ましくは、反射型偏光片である。第二偏光片P2の偏光度が不足している（第二偏光片P2が、フィルタリングしようとする特定の偏光方向の光束を有効にフィルタリングできない）時に、第三偏光片P3の設置は、第二偏光片P2の所在側の光フィルタリング効果を改善することができ、これにより、覗き見防止効果をより一層向上させることができる。以下の実施例では、すべて、この改良が適用され、その詳しい説明は、省略される。
【００３０】
図4に示すように、偏光型視角制御素子400と図1A中の偏光型視角制御素子との主な相違点は、偏光型視角制御素子400は、さらに、補償膜Cを含むことにある。補償膜Cは、第一O型板補償膜O1と第二O型板補償膜O2との間に位置し、補償膜Cは、C型板補償膜又はO型板補償膜であっても良い。C型板補償膜を例とし、補償膜Cの光軸OAは、偏光型視角制御素子400の厚み方向（第三方向D3）に平行である。補償膜Cは、光フィルターリング範囲及び透過率を変えるために用いられる。例えば、補償膜Cが150nmの面外遅延値を提供することで、覗き見防止効果をさらに向上させることができる。なお、図4は、１つのみの補償膜Cを示しているが、補償膜Cの数量は、ニーズに応じて変わっても良いため、図4に示すものに限定されない。以下の実施例では、すべて、この改良が適用され、その詳しい説明は、省略される。
【００３１】
図5に示すように、偏光型視角制御素子500と図1A中の偏光型視角制御素子との主な相違点は、偏光型視角制御素子500は、さらに、２つの補償膜Cを含むことにあり、そのうち、１つの補償膜Cは、第一O型板補償膜O1と第一偏光片P1との間に位置し、もう１つの補償膜Cは、第二O型板補償膜O2と第二偏光片O2との間に位置する。２つの補償膜Cは、C型板補償膜又はO型板補償膜であっても良い。また、補償膜C的数量は、ニーズに応じて変わっても良いので、図5に示すものに限定されない。以下の実施例では、すべて、この改良が適用され、その詳細な説明は、省略される。
【００３２】
図6は、本発明の第一実施例による偏光型視角制御表示装置の断面図である。図6に示すように、本発明の第一実施例における偏光型視角制御表示装置10は、表示モジュール12及び偏光型視角制御素子14を含む。表示モジュール12は、表示パネルDP及び第一偏光片P1を含む。偏光型視角制御素子14は、表示モジュール12が第一偏光片P1に近い一方側に配置され、且つ偏光型視角制御素子14は、第二偏光片P2、第一O型板補償膜O1及び第二O型板補償膜O2を含む。第一偏光片P1、第二偏光片P2、第一O型板補償膜O1及び第二O型板補償膜O2は、既に説明されているので、ここでは、重複記載を省略する。
【００３３】
表示パネルDPは、自発光型表示パネル又は非自発光型表示パネルであっても良い。表示パネルDPが非自発光型表示パネルである時に、偏光型視角制御表示装置10は、さらに、光源モジュールBL、例えば、直下型光源モジュール又はエッジ型光源モジュールを含んでも良く、これにより、照明光束を提供することができる。一方で、表示パネルDPが自発光型表示パネルである時に、光源モジュールBLを省略することができる。
【００３４】
非自発光型表示パネルを例とし、表示パネルDPが液晶表示パネルである時に、表示モジュール12は、２つの偏光片Pを含んでも良い。２つの偏光片Pは、表示パネルDPの相対する側に配置され、２つの偏光片Pの透過軸（図示せず）は、互いに垂直又は平行であっても良く、また、２つの偏光片Pのうち偏光型視角制御素子14に近い偏光片Pの透過軸（図示せず）は、第二偏光片P2の透過軸（図示せず）に平行である。本実施例では、２つの偏光片Pのうち偏光型視角制御素子14に近い偏光片Pを図1A中の第一偏光片P1とし、これにより、偏光型視角制御素子14に１つの偏光片を省略させても良いが、本発明は、これに限定されない。もう１つの実施例では、図6中の偏光型視角制御素子14は、図1A中の偏光型視角制御素子100、図2中の偏光型視角制御素子200、図3中の偏光型視角制御素子300、図4中の偏光型視角制御素子400又は図5中の偏光型視角制御素子500を採用しても良い。一方で、図6中の偏光型視角制御素子14は、さらに、図2中の粘着層AD、図3中の第三偏光片P3、図4中の補償膜C又は図5中の２つの補償膜Cを含んでも良い。
【００３５】
偏光型視角制御素子14と表示モジュール12とを統合することで、偏光型視角制御表示装置10から射出した表示光束の方位角の角度を制限することができ、これにより、偏光型視角制御表示装置10に覗き見防止の効果を持たせることができる。また、偏光型視角制御素子14が周期的な構造を用いて視角を制御するものでないため、モアレの生成を避けることができる。
【００３６】
図7は、本発明の第二実施例による偏光型視角制御表示装置の断面図である。図7に示すように、偏光型視角制御表示装置20は、図6中の偏光型視角制御表示モジュール10に類似しており、そのうち、同じ素子は、同じ符号で表され、重複説明は、省略される。
【００３７】
偏光型視角制御表示装置20と図6中の偏光型視角制御表示装置10との主な相違点は、次の通りである。図6中の偏光型視角制御表示装置10では、偏光型視角制御素子14は、表示モジュール12と光源モジュールBLとの間に位置する。図7中の偏光型視角制御表示装置20では、表示モジュール12は、偏光型視角制御素子14と光源モジュールBLとの間に位置する。図6中の偏光型視角制御表示装置10と同様に、偏光型視角制御表示装置20では、２つの偏光片Pのうち偏光型視角制御素子14に近い偏光片Pを図1A中の第一偏光片P1とし、これにより、偏光型視角制御素子14に１つの偏光片を省略させることができるが、本発明は、これに限定されない。もう１つの実施例では、図7中の偏光型視角制御素子14は、図1A中の偏光型視角制御素子100、図2中の偏光型視角制御素子200、図3中の偏光型視角制御素子300、図4中の偏光型視角制御素子400又は図5中の偏光型視角制御素子500を採用しても良い。
【００３８】
なお、図7では、第一偏光片P1、第一O型板補償膜O1、第二O型板補償膜O2及び第二偏光片P2の配置順序は、図6中の配置順序と逆である。また、図7中の偏光型視角制御素子14は、さらに、図2中の粘着層AD、図4中の補償膜C又は図5中の２つの補償膜Cを含んでも良い。一実施例では、第二偏光片P2の他に、偏光型視角制御素子14は、さらに、第三偏光片（図示せず）を含んでも良い。第三偏光片は、第一O型板補償膜O1の表示モジュール12に面する表面に位置し、且つ第一O型板補償膜O1と第一偏光片P1との間に位置し、そのうち、第三偏光片の透過軸は、第一偏光片P1の透過軸（図示せず）及び第二偏光片P2の透過軸（図示せず）に平行である。例えば、第三偏光片は、反射型偏光片であっても良いが、これに限定されない。
【００３９】
図8は、本発明の一実施例による偏光型視角制御光源モジュールの断面図である。本発明の実施例における偏光型視角制御光源モジュール30は、光源モジュールBL及び偏光型視角制御素子100を含む。光源モジュールBLは、直下型光源モジュール又はエッジ型光源モジュールであっても良い。偏光型視角制御素子100は、光源モジュールBLの出光側に配置される。もう１つの実施例では、偏光型視角制御素子100は、図2中の偏光型視角制御素子200、図3中の偏光型視角制御素子300、図4中の偏光型視角制御素子400又は図5中の偏光型視角制御素子500で置換されても良い。
【００４０】
偏光型視角制御素子100を光源モジュールBLの出光側に配置することで、偏光型視角制御光源モジュール30から射出した照明光束的方位角の角度を制限することができ、これにより、偏光型視角制御光源モジュール30は、視角制限有り装置に適用することができる。
【００４１】
以上のことから、本発明の実施例は、少なくとも次のような利点や機能、効果のうちの１つを有する。本発明の実施例における偏光型視角制御素子、偏光型視角制御表示装置及び偏光型視角制御光源モジュールでは、２つの偏光片と２つのO型板補償膜との組み合わせによって所要の位相遅延量を提供し、これにより、制御しようとする方位角上で視角を制限する効果を達成することができる。偏光型視角制御素子が周期的な構造を用いて視角を制御するものでないため、モアレの生成を避けることができる。市販の製品、例えば、光制御膜、偏光型視角制御素子などに比べ、より高い正視角輝度、より安い価格、及びより薄い厚みを有する。単一方向（例えば、縦方向又は横方向）上の視角を制限することにより、偏光型視角制御素子は、全覗き見防止表示器又は車用表示器に適用することができる。一実施例では、偏光型視角制御素子は、さらに、第三偏光片又は少なくとも１つの補償膜を、覗き見防止効果をさらに向上させるために含んでも良い。
【００４２】
本発明は、前述した好適な実施例に基づいて以上のように開示されたが、前述した好適な実施例は、本発明を限定するためのものでなく、当業者は、本発明の思想と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の一部と発明の名称は、文献の検索を助けるためのみのものであり、本発明の権利範囲を限定するものでない。また、本明細書又は特許請求の範囲に言及びされている「第一」、「第二」などの用語は、要素（element）に名前を付け、または、異なる実施例又は範囲を区別するためのものみであり、要素の数量上での上限又は下限を限定するためのものでない。
【符号の説明】
【００４３】
10、20：偏光型視角制御表示装置
12：表示モジュール
14、100、200、300、400、500：偏光型視角制御素子
30：偏光型視角制御光源モジュール
AD：粘着層
BL：光源モジュール
C：補償膜
D1：第一方向
D2：第二方向
D3：第三方向
DP：表示パネル
I：境界
LC：液晶分子
O1：第一O型板補償膜
O2：第二O型板補償膜
OA：光軸
OA1：第一光軸
OA2：第二光軸
OP1、OP2：正投影
P：偏光片
P1：第一偏光片
P2：第二偏光片
P3：第三偏光片
T1：第一透過軸
T2：第二透過軸
T3：第三透過軸
X1、X2：点線枠
β：角度
θ、θ1、θ2：鋭角
【図１Ａ】
2019079044.tif 000003
【図１Ｂ】
2019079044.tif 000004
【図１Ｃ】
2019079044.tif 000005
【図１Ｄ】
2019079044.tif 000006
【図１Ｅ】
2019079044.tif 000007
【図１Ｆ】
2019079044.tif 000008
【図１Ｇ】
2019079044.tif 000009
【図２】
2019079044.tif 000010
【図３】
2019079044.tif 000011
【図４】
2019079044.tif 000012
【図５】
2019079044.tif 000013
【図６】
2019079044.tif 000014
【図７】
2019079044.tif 000015
【図８】
2019079044.tif 000016